(57)【要約】【課題】薬剤等が人の手指で塗布されているような感覚を与えることが可能で、見えにくい箇所でも薬剤等の塗布状況を感覚的に判断しやすくする。【解決手段】薬剤等の塗布部が、三次元立体編物からなるクッション層２０と該クッション層２０を被覆するカバー部材３０とを備えている。三次元立体編物は、薄くても十分なクッション性を備える。特に、直径３０ｍｍの圧縮板を５０ｍｍ／分の速度で１００Ｎまで押圧した際の荷重−たわみ特性として、平衡点付近におけるバネ定数が０．１〜１０Ｎ／ｍｍ、好ましくは０．１〜５Ｎ／ｍｍの範囲であるものは、同様の条件で測定した人の筋肉の荷重−たわみ特性に近いため、塗布部を目的の部位に押し付けた際には、手指により押し付けた場合に近似した押圧感覚が得られる。このため、見えにくい箇所でも薬剤等の塗布状況を感覚的に判断しやすくなり、無駄塗りなどが少なくなる。【選択図】  図１
0003129278.tif 000002
【実用新案登録請求の範囲】
【請求項１】
アーム部材と、前記アーム部材の先端部に設けられる薬剤等の塗布部とを備えてなる薬剤等塗布具において、
前記アーム部材の先端部は、該アーム部材の基端部の軸線とのなす角が３０度〜９０度の範囲となるように屈曲されており、
前記塗布部が、前記アーム部材の先端部に装着される三次元立体編物からなるクッション層と、該クッション層を被覆し、薬剤等を保持可能なカバー部材とを備えてなることを特徴とする薬剤等塗布具。
【請求項２】
前記三次元立体編物からなるクッション層は、直径３０ｍｍの圧縮板を５０ｍｍ／分の速度で１００Ｎまで押圧した際の荷重−たわみ特性として、平衡点付近のバネ定数が０．１〜１０Ｎ／ｍｍの範囲であることを特徴とする請求項１記載の薬剤等塗布具。
【請求項３】
前記三次元立体編物からなるクッション層は、直径３０ｍｍの圧縮板を５０ｍｍ／分の速度で１００Ｎまで押圧した際の荷重−たわみ特性として、平衡点付近のバネ定数が０．１〜５Ｎ／ｍｍの範囲であることを特徴とする請求項２記載の薬剤等塗布具。
【請求項４】
前記カバー部材は、ポリウレタン製不織布からなることを特徴とする請求項１〜３のいずれか１に記載の薬剤等塗布具。
【請求項５】
前記アーム部材の先端部の端面に、前記クッション層及びカバー部材を取り外した状態でマッサージ具として使用される押圧部材が取り付けられていることを特徴とする請求項１〜４のいずれか１に記載の薬剤等塗布具。
【請求項６】
前記押圧部材が、略球状に形成されていることを特徴とする請求項５記載の薬剤等塗布具。
【請求項７】
前記押圧部材のショアＡ硬度が５０〜８０度の範囲であることを特徴とする請求項５又は６記載の薬剤等塗布具。
【請求項８】
前記アーム部材として、熱処理鋼管を用いたことを特徴とする請求項１記載の薬剤等塗布具。
【考案の詳細な説明】
【技術分野】
【０００１】
本考案は薬剤等塗布具に関し、特に、自らの手が届き難い背などに薬剤等を塗る際に使用される薬剤等塗布具に関する。
【背景技術】
【０００２】
かゆみ止めや筋肉痛緩和等のための軟膏等の塗り薬、保湿などを目的とした美容用のクリーム等（本明細書では、これらに限らず、薬用、美容用その他あらゆる用途において皮膚に塗布して使用されるものを全て含む意味で「薬剤等」という）を、背などに手指のみで塗布することは一般に困難であり、容易に塗布するための補助具として、特許文献１〜６に記載されたようなものが知られている。これらは、いずれも、所定長さの棒状部材の一端部にスポンジやローラ等を用いた塗布部を設け、棒状部材の他端部を把持して、塗布部を背に押し付けて多少動かすことで、該塗布部に一時的に保持させた薬剤等を背の皮膚に塗り込むものである。
【特許文献１】実用新案登録第３０７８９１７号公報
【特許文献２】実用新案登録第３０８８７２８号公報
【特許文献３】実用新案登録第３０８３８０７号公報
【特許文献４】特開２００２−１３６６０２号公報
【特許文献５】特開平９−２２５０３８号公報
【特許文献６】特開２００２−５８７４９号公報
【考案の開示】
【考案が解決しようとする課題】
【０００３】
しかしながら、各特許文献に開示された技術は、いずれも、長尺な棒状部材を用いることにより、手が届き難い箇所への薬剤等の塗布を可能にしているだけで、塗布部としては、スポンジやローラを用いているに過ぎない。スポンジを用いた場合には、薬剤等を一時的に保持する機能に優れるものの、感触が柔らかすぎて、薬剤等が目的とする箇所にきちんと塗布されているかどうかを接触した際の感覚で判断することが難しい。また、ローラの場合には、塗りやすさのみが考慮されていて背に当接した際の違和感が大きい。
【０００４】
本考案は上記に鑑みなされたものであり、背等に接した際に、薬剤等が人の手指で塗布されているような感覚を与えることが可能で、見えにくい箇所でも薬剤等の塗布状況を感覚的に判断しやすくなる薬剤等塗布具を提供することを課題とする。また、本考案は、これに加え、必要に応じて筋肉のツボ等を押圧するマッサージ具としても使用可能な薬剤等塗布具を提供することを課題とする。
【０００５】
上記課題を解決するため、本考案では、アーム部材と、前記アーム部材の先端部に設けられる薬剤等の塗布部とを備えてなる薬剤等塗布具において、
前記アーム部材の先端部は、該アーム部材の基端部の軸線とのなす角が３０度〜９０度の範囲となるように屈曲されており、
前記塗布部が、前記アーム部材の先端部に装着される三次元立体編物からなるクッション層と、該クッション層を被覆し、薬剤等を保持可能なカバー部材とを備えてなることを特徴とする薬剤等塗布具を提供する。
前記三次元立体編物からなるクッション層は、直径３０ｍｍの圧縮板を５０ｍｍ／分の速度で１００Ｎまで押圧した際の荷重−たわみ特性として、平衡点付近のバネ定数が０．１〜１０Ｎ／ｍｍの範囲であることが好ましい。
前記三次元立体編物からなるクッション層は、直径３０ｍｍの圧縮板を５０ｍｍ／分の速度で１００Ｎまで押圧した際の荷重−たわみ特性として、平衡点付近のバネ定数が０．１〜５Ｎ／ｍｍの範囲であることがより好ましい。
前記カバー部材は、ポリウレタン製不織布からなることが好ましい。
前記アーム部材の先端部の端面には、前記クッション層及びカバー部材を取り外した状態でマッサージ具として使用される押圧部材が取り付けられていることが好ましい。そして、この押圧部材は、略球状に形成されていることが好ましい。また、前記押圧部材としては、ショアＡ硬度５０〜８０度の範囲のものを用いることが好ましい。
なお、前記アーム部材としては、熱処理鋼管を用いることが好ましい。
【考案の効果】
【０００６】
本考案の薬剤等塗布具は、薬剤等の塗布部が、三次元立体編物からなるクッション層を備えている。三次元立体編物は、薄くても十分なクッション性を備える。特に、直径３０ｍｍの圧縮板を５０ｍｍ／分の速度で１００Ｎまで押圧した際の荷重−たわみ特性として、平衡点付近のバネ定数が０．１〜１０Ｎ／ｍｍの範囲、好ましくは０．１〜５Ｎ／ｍｍの範囲であるものは、同様の条件で測定した人の筋肉の荷重−たわみ特性に近いため、塗布部を目的の部位に押し付けた際には、手指により押し付けた場合に近似した押圧感覚が得られる。このため、薬剤等を塗り込むために前後左右に動かした際も、薬剤等を手指で直接塗り込む場合に近似した感触が得られ、見えにくい箇所でも薬剤等の塗布状況を感覚的に判断しやすくなり、無駄塗りなどが少なくなる。
【０００７】
また、アーム部材の先端部に押圧部材を設けた構成とすることにより、クッション層及びカバー部材を取り外して使用すれば、ツボ等を押すマッサージ具としても使用可能である。押圧部材として、略球状のものを、特に指先と同程度の大きさのものを用いると、該押圧部材にクッション層及びカバー部材を装着して薬剤等を塗布する際に、指先で塗る感覚により近くなり、薬剤等をより適切に塗布できる。
【考案を実施するための最良の形態】
【０００８】
以下、図面に示した本考案の実施形態に基づき、本考案をさらに詳細に説明する。本実施形態の薬剤等塗布具１は、図１に示したように、アーム部材１０と、該アーム部材１０に設けられ、薬剤等の塗布部を構成するクッション層２０及びカバー部材３０を有して構成される。
【０００９】
アーム部材１０は、図１及び図２に示したように、基端部１１付近が略直線状になっている一方、長さ方向略中央付近でやや曲げられ、全体として側面から見て略く字状に形成されていると共に、先端部１２は、さらに前方に突出するように屈曲されている。先端部１２は、図２に示したように、基端部１１の中心線を延ばした仮想線（軸線）Ａに対して、先端部１２の中心線を延ばした仮想線（軸線）Ｂとのなす角θが３０度〜９０度の範囲となるように屈曲されていることが好ましい。人が基端部１１を把持して、先端部１２を背等に当接しようとしたときにはできるだけ当接部位に対して垂直に近い角度で当接することが好ましいが、角θを上記角度に範囲に設定することにより、人の背に垂直に近い状態で当接することが容易になる。また、上記角度の範囲に設定することにより、図６に示したように、先端部１２を、例えば、机の縁などに引っかけた状態で保管することもできる。特に、上記角θは、４０〜７０度の範囲に設定することがより好ましい。なお、基端部１１には、握りやすくするためと滑り止めのために、合成樹脂又はゴムから形成したグリップ部材１１１を取り付けておくことが好ましい。
【００１０】
一方、先端部１２の端面には、押圧部材１２１が設けられている。押圧部材１２１は、略指先大の略球状に形成されており、先端部１２の端面にねじ部材を介して固定されている。押圧部材１２１は、合成樹脂又はゴムから形成することが好ましい。これにより、該押圧部材１２１を被覆する三次元立体編物からなるクッション層２０との間の摩擦力が高まり、薬剤等の塗布時において、押圧部材１２１とクッション層２０との間のズレや脱落が抑制される。また、先端部１２を、机の縁などに引っかけた際にも、該押圧部材１２１が滑り止めとして機能する。押圧部材１２１は、上記のように、合成樹脂又はゴムから形成することが好ましいが、さらに、ショアＡ硬度５０〜８０度の範囲のものを用いることがより好ましい。柔らかすぎる場合には、適度なマッサージ効果が得られず、また、材質にも左右されるが、この硬度より硬いものは、通常、三次元立体編物からなるクッション層２０との間の摩擦力が小さくなり、薬液等の塗布時にクッション層２０がズレ易い等の不都合を生じやすい。
【００１１】
なお、上記したアーム部材１０は、剛性の高い熱処理鋼管から形成することが好ましい。これにより、使用時の撓みが抑制されるため、特に、押圧部材１２１を使用してのマッサージ時において、手の力をより効率的に伝えられる。
【００１２】
塗布部を構成するクッション層２０は、三次元立体編物を所定形状に加工して形成され、上記した押圧部材１２１を被覆するように先端部１２に装着される。
【００１３】
ここで、クッション層２０を構成する三次元立体編物は、図３（ａ）に示したように、互いに離間して配置された一対のグランド編地２１，２２と、該一対のグランド編地２１，２２間を往復して両者を結合する多数の連結糸２３とを有する立体的な三次元構造となった編地である。一方のグランド編地２１は、例えば、単繊維を撚った糸から、ウェール方向及びコース方向のいずれの方向にも連続したフラットな編地組織（細目）によって形成され、他方のグランド編地２２は、例えば、短繊維を撚った糸から、ハニカム状（六角形）のメッシュを有する編み目構造に形成されている。もちろん、この編地組織は任意であり、細目組織やハニカム状以外の編地組織を採用することもできるし、両者とも細目組織を採用するなど、その組み合わせも任意である。連結糸２３は、一方のグランド編地と他方のグランド編地とが所定の間隔を保持するように、この一対のグランド編地間に編み込んだもので、三次元立体編物に所定の剛性を付与する。グランド編地を形成するグランド糸の太さは、三次元立体編物に必要な腰の強さを具備させることができると共に、編成作業が困難にならない範囲のものが選択される。
【００１４】
グランド糸又は連結糸の素材としては、ポリプロピレン、ポリエステル、ポリアミド、ポリアクリロニトリル、レーヨン等の合成繊維や再生繊維、ウール、絹、綿等の天然繊維が挙げられるが、これらの素材は単独で用いてもよいし、これらを任意に併用することもできる。好ましくは、ポリエチレンテレフタレート（ＰＥＴ）、ポリブチレンテレフタレート（ＰＢＴ）などに代表される熱可塑性ポリエステル樹脂類、ナイロン６、ナイロン６６などに代表されるポリアミド樹脂類、ポリエチレン、ポリプロピレンなどに代表されるポリオレフィン樹脂類、ポリトリメチレンテレフタレート（ＰＴＴ）あるいはこれらの樹脂を２種類以上混合した樹脂である。なお、ポリエステル系樹脂はリサイクル性に優れており好適である。また、グランド糸又は連結糸の糸形状は限定されるものではなく、丸断面糸でも異形断面糸等でもよい。
【００１５】
連結糸２３は、表層と裏層のグランド編地２１，２２中にループ状の編み目を形成してもよく、挿入組織で表層と裏層のグランド編地２１，２２に引っかけた構造でもよいが、少なくとも２本の連結糸が表層と裏層の編地を互いに逆方向に斜めに傾斜して、クロス状（Ｘ状）やトラス状に連結することが、三次元立体編物の形態安定性を向上させる上で好ましい。
【００１６】
なお、三次元立体編物は、相対する２列の針床を有する編機で編成することができる。このような編機として、ダブルラッセル編機、ダブル丸編機、Ｖベッドを有する横編機等がある。寸法安定性のよい三次元立体編物を得る上で、ダブルラッセル編機を用いるのが好ましい。三次元立体編物は、編み上げられた生機を、精練、染色、ヒートセット等の工程を通して仕上げる。ヒートセットは、例えば、１５０℃で１分間の乾熱で行われ、平滑な面を有する平板状に仕上げられる。仕上げ加工が行われた三次元立体編物は、例えば、ロール状に巻回されて原反として提供され、使用する際には、ロール状に巻回された原反を所定長引き出し、所定形状に裁断されて用いられる。
【００１７】
本実施形態のクッション層２０は、図３（ａ），（ｂ）に示したように、まず、略長方形の三次元立体編物のうち、その周縁を所定幅で、表層のグランド編地２１のみを残して切除する。次いで、図３（ｃ）に示したように、長手方向に対向する各端縁部２１ａ，２１ｂを、それぞれ、ほつれ防止のため、二つ折りにして縫い合わせる。次に、図３（ｄ）に示したように、表層のグランド編地２１同士が重なるように、長手方向の略中央部から折り曲げ、側縁部２１ｃ，２１ｄを縫い合わせ、最後にこれを裏返す。これにより、図３（ｅ）に示したように、キャップ状のクッション層２０が形成される。
【００１８】
三次元立体編物は、人の筋肉の荷重−たわみ特性に近似した傾向を示す。このため、三次元立体編物をクッション層２０として用いて多少押しながら薬剤等を塗布すると、手指の腹を使用して塗布した場合に近似した感覚が得られ、違和感が少ない。人の筋肉の荷重−たわみ特性は、人により若干の差はあるものの、押圧面積が小さい場合には、極めて柔らかいバネ特性を示し、押圧面積が大きくなると線形性が高くなってくるが、三次元立体編物はこれと同様の特性を有している。薬剤等塗布具１に用いるクッション層２０は、人の皮膚との接触面積が小さいため、直径３０ｍｍという人の親指大あるいは人差し指２本分程度で押圧した場合の荷重−たわみ特性が、同様の条件で測定した人の筋肉の荷重−たわみ特性に近似していることが望ましい。
【００１９】
図７は、下記の製品番号「Ｔ２４００４Ａ」に係る三次元立体編物を測定板上に置き、直径３０ｍｍの圧縮板を５０ｍｍ／分の速度で１００Ｎまで押圧した際の荷重−たわみ特性を示す。図では、荷重の釣り合いのとれている平衡点を０ｍｍとした特性を示しており、「Ｔ２４００４Ａ」の平衡点付近（−１ｍｍ〜＋１ｍｍの範囲）のバネ定数は、次のとおりであった。すなわち、最もバネ定数の高い区間は、加重時の−１〜−０．５ｍｍの区間であり、その区間のバネ定数は５．６６Ｎ／ｍｍであった。傾きを算出する際の区間を加重時において−１ｍｍ〜０ｍｍに区切って算出した場合には、４．５９Ｎ／ｍｍであった。加重時の０〜１ｍｍの区間は、２．５９Ｎ／ｍｍであった。一方、抜重時の−１〜１ｍｍの区間では、３．９３Ｎ／ｍｍであった。以上のことから、平衡点付近では、最も高い区間でも１０Ｎ／ｍｍ以下に収まっており、ほとんどが５Ｎ／ｍｍ以下に収まっていた。
この図には、人の臀部の筋肉を、直径３０ｍｍの圧縮板を用いて、５０ｍｍ／分の速度で１００Ｎまで押圧した際のデータを重ねて示しているが、この筋肉のバネ定数範囲も平衡点付近では約２〜５Ｎ／ｍｍであり、この三次元立体編物の特性は、筋肉の荷重−たわみ特性に近似している。なお、これらのデータから、本明細書において筋肉の荷重−たわみ特性に近似した特性とは、直径３０ｍｍの圧縮板を５０ｍｍ／分の速度で１００Ｎまで押圧した際の荷重−たわみ特性として、平衡点付近におけるバネ定数が０．１〜１０Ｎ／ｍｍの範囲、好ましくは、０．１〜５Ｎ／ｍｍの範囲に収まっていることをいう。
【００２０】
なお、図７及び図８の測定に用いた各三次元立体編物の材料構成は次のとおりであった。
【００２１】
（１）製品番号：Ｔ２４００４Ａ（旭化成せんい（株）製）
グランド編地（表）：５００デシテックス１４４ｆのＰＥＴ（ポリエチレンテレ                    フタレート）仮撚加工糸
連結糸：３９０デシテックス１ｆのＰＴＴ（ポリトリメチレンテレフタレート）        モノフィラメント
グランド編地（裏）：５６０デシテックス９６ｆのＰＥＴ（ポリエチレンテレフ                    タレート）糸及び３９０デシテックス１ｆのＰＴＴ（ポリ                    トリメチレンテレフタレート）モノフィラメント
原反幅：９７ｃｍ
厚み：６ｍｍ
【００２２】
クッション層２０と共に塗布部を構成するカバー部材３０は、図１及び図４に示したように、先端が閉塞された袋状に形成され、上記したクッション層２０の表面を被覆するように装着される。カバー部材３０は、その表面に薬剤等を塗りつけ、一時的に保持した状態とし、皮膚に接触させることで該薬剤等を皮膚に塗布するものである。このような機能を備える限りカバー部材３０の材質は限定されないが、伸縮性が高いと、クッション層２０への密着性が高まり、クッション層２０との間での使用時におけるズレが生じにくいため、例えば、目付量３０〜１００ｇのポリウレタン製不織布を用いることが好ましい。また、このカバー部材３０は、クッション層２０に対して着脱可能であるため、複数準備しておき、かゆみ止め用、筋肉痛緩和剤用、保湿クリーム用といったように、用途に応じて使い分けてもよい。
【００２３】
本実施形態の薬剤等塗布具１は次のように使用される。まず、薬剤等を塗布する際は、クッション層２０を、押圧部材１２１を被覆してアーム部材１０の先端部１２に装着する。次に、このクッション層２０にカバー部材３０を被せ、該カバー部材３０の先端に、薬剤等を塗りつける（図５（ａ）参照）。そして、使用者は、基端部１１及びグリップ部材１１１を把持して、アーム部材１０の先端部１２側を、例えば、背の所定箇所に近接させるように操作し、カバー部材３０に付着させた薬剤等を該背の所定箇所に接触させる。次いで、若干押し付けるようにして上下左右に動かし、当該背の所定箇所に薬剤等を塗布する。このとき、カバー部材３０の下層には、上記のように筋肉の荷重−たわみ特性に近似した三次元立体編物からなるクッション層２０が装着されているため、軽く押し付けた際の感覚が、手指の腹に薬剤等を付着させて塗布した際の感覚に近いものとなる。この結果、見えにくい箇所でも薬剤等の塗布状況を感覚的に判断しやすくなり、無駄塗りなどが少なくなる。また、本実施形態では、押圧部材１２１として略指先大の略球状のものを用いているため、指先で塗る感覚により近くなる。
【００２４】
一方、薬剤等を塗布するのではなくマッサージ具として使用する場合には、図５（ｂ）に示したように、クッション層２０及びカバー部材３０を共に取り外す。これらを取り外すと、押圧部材１２１が露出するため、この押圧部材１２１を所定のツボに当接し、アーム部材１０を操作すれば、ツボを刺激できる。本実施形態では、アーム部材１０として熱処理鋼管を用いているため、押圧時の撓みが抑制され、手の力が効率よく伝わる。
【図面の簡単な説明】
【００２５】
【図１】図１は、本考案の一の実施形態に係る薬剤等塗布具を示し、（ａ）は分解斜視図を、（ｂ）は断面図を、（ｃ）は塗布部を構成するクッション層及びカバー部材をアーム部材の先端部に装着した状態の拡大断面図である。
【図２】図２は、アーム部材の側面図である。
【図３】図３（ａ）〜（ｅ）は、クッション層の製造工程を示す図である。
【図４】図４（ａ）はカバー部材の外観図であり、図４（ｂ）は断面図である。
【図５】図５（ａ）は、薬剤等を塗布する際の使用状態を示す斜視図であり、図５（ｂ）はクッション層及びカバー部材を取り外してマッサージ具として使用する際の使用状態を示す斜視図である。
【図６】図６は、机などの縁に引っかけて保管する状態を示した図である。
【図７】図７は、製品番号：Ｔ２４００４Ａに係る三次元立体編物を測定台上に載置し、直径３０ｍｍの圧縮板により５０ｍｍ／分で厚み方向に１００Ｎまで加圧した際の荷重−たわみ特性を示す図である。
【符号の説明】
【００２６】
１  薬剤等塗布具
１０  アーム部材
１１  基端部
１２  先端部
１１１  グリップ部材
１２１  押圧部材
２０  クッション層
３０  カバー部材
【図１】
0003129278.tif 000003
【図２】
0003129278.tif 000004
【図３】
0003129278.tif 000005
【図４】
0003129278.tif 000006
【図５】
0003129278.tif 000007
【図６】
0003129278.tif 000008
【図７】
0003129278.tif 000009